(57)【特許請求の範囲】
【請求項１】
同一パターンの図柄の複数の用紙を折り曲げて装飾傘を組み立てる傘状体組立方法であって、
前記全ての用紙に同じ位置の中心を設定し、
この中心を通る複数の直線を、全周を等分割した角度で放射状に設定し、
各用紙毎に、前記等分割して設定した相異なる角度の放射状の直線の位置情報を１本づつ転写し、
各用紙を、それぞれに転写された直線の位置情報に従って山折りして山折り片を作成し、
この山折り片を加工して、前記中心をひとつの頂点とするとともに、前記山折り辺を底辺とした略三角形状の山折り断片を作成し、
このようにして作成した複数の山折り断片を、その略三角形状の短辺が装飾傘の軸と平行になるように、装飾傘の軸の廻りに放射状に整列させて、前記山折り辺が装飾傘の表面を形成するように組み立てることを特徴とする装飾傘の組立方法。
【請求項２】
同一パターンの図柄の複数の用紙を折り曲げて組み立てられた装飾傘であって、前記全ての用紙に同じ位置の中心を設定し、この中心を通る複数の直線を、全周を等分割した角度で放射状に設定し、各用紙毎に、前記等分割して設定した相異なる角度の放射状の直線情報を１本づつ転写し、各用紙を、それぞれに転写された直線の位置情報に従って山折りして、前記中心をひとつの頂点とするとともに、前記山折り辺が底辺となるように作成された略三角形状の複数の山折り断片を、その略三角形状の短辺が装飾傘の軸と平行になるように、装飾傘の軸の廻りに放射状に整列させてなることを特徴とする装飾傘。
【発明の詳細な説明】
【０００１】
【発明の属する技術分野】
本発明は、複数の用紙を折り曲げて切断加工して整列させることによって装飾傘を組み立てる方法に関するものである。
【０００２】
【従来の技術】
従来より、複数の用紙を折り曲げて加工して整列させることによって所定形状の立体物を組み立てる組立方法が知られていた。
【０００３】
【発明が解決しようとする課題】
ところが、上述したような従来の組立方法では、立体形状を模することはできたが、組み立てた立体物の表面に現れる模様に関しては全く意識されていなかった。
そのため、出来上がった立体物の表面の模様に意図した模様を表すことはできないという問題があった。
【０００４】
そこで、本発明は、複数の用紙を折り曲げて加工して整列させて組み立てた所定形状の立体物の表面に所望の模様を出現させることのできる組立方法を提供することを目的としてなされたものである。
【０００５】
【課題を解決するための手段】
本発明にかかる請求項１の装飾傘の組立方法においては、
前記全ての用紙に同じ位置の中心を設定し、
この中心を通る複数の直線を、全周を等分割した角度で放射状に設定し、
各用紙毎に、前記等分割して設定した相異なる角度の放射状の直線の位置情報を１本づつ転写し、
各用紙を、それぞれに転写された直線の位置情報に従って山折りして山折り片を作成し、
この山折り片を加工して、前記中心をひとつの頂点とするとともに、前記山折り辺を底辺とした略三角形状の山折り断片を作成し、
このようにして作成した複数の山折り断片を、その略三角形状の短辺が装飾傘の軸と平行になるように、装飾傘の軸の廻りに放射状に整列させて、前記山折り辺が装飾傘の表面を形成するように組み立てるようにした。
【０００６】
そして、請求項２の装飾傘は、
同一パターンの図柄の複数の用紙を折り曲げて組み立てられた装飾傘であって、前記全ての用紙に同じ位置の中心を設定し、この中心を通る複数の直線を、全周を等分割した角度で放射状に設定し、各用紙毎に、前記等分割して設定した相異なる角度の放射状の直線の位置情報を１本づつ転写し、各用紙を、それぞれに転写された直線情報に従って山折りして、前記中心をひとつの頂点とするとともに、前記山折り辺が底辺となるように作成された略三角形状の複数の山折り断片を、その略三角形状の短辺が装飾傘の軸と平行になるように、装飾傘の軸の廻りに放射状に整列させて構成されている。
【０００７】
【作用】
本発明の装飾傘の組立方法によれば、
用紙の中心を通る複数の直線を、全周を等分割した角度で放射状に設定し、
各用紙毎に、前記等分割して設定した相異なる角度の放射状の直線の位置情報を１本づつ転写する。この直線の近傍の絵柄が組み立てた後の装飾傘の表面に現れる部分となる。
各用紙を、それぞれに転写された直線の位置情報に従って山折りすると、山折り辺の近傍の絵柄が組み立てた後の装飾傘の表面に現れる部分となる。このとき、山折り辺に直線が描かれていると見苦しいので、直線の位置情報を転写する場合には、直線そのものを転写するのではなく、直線の一部もしくは直線の位置を示すマーク等を目立たないように転写するとよい。
なお、各用紙には、それぞれ異なる角度の放射状の直線の位置情報を転写して折り曲げているので。各山折り片の山折り辺に現れた絵柄は、それぞれ異なるものとなっている。
なかでも、隣り合う直線の位置情報を転写した用紙を折り曲げて作成した山折り片どうしを比べると、両者の山折り辺近傍の絵柄は互いに隣り合う絵柄となっており、両者を合わせると、連続した絵柄となり、その連続した絵柄は、用紙の元の絵柄の部分的な絵柄となっている。
従って、このようにして作成した山折り片を、転写した元の直線と同じ順番で整列させると、山折り辺に現れる絵柄が全体的にも連続したものとなり、その連続した絵柄は、用紙の元の絵柄の中心の周囲の絵柄となっている。
このようにして、軸の周囲に整列することによって装飾傘を完成させると、装飾傘の表面には用紙の元の絵柄が現れることになるのである。
なお、図１０の形状の略三角形状の山折り断片を作成してから組み立てたが、図１４に示したような三角形状の山折り断片を作成して組み立てることも可能である。
【０００８】
【発明の実施の形態】
以下に、本発明にかかる装飾傘の組立方法を、その実施の形態を示した図面に基づいて詳細に説明する。
【０００９】
図１は１枚の用紙Ｐの平面図であり、例えば図示したようなひまわりの絵柄が印刷されている。
本発明の装飾傘の組立方法によれば、このような用紙Ｐを４８枚用いて、図２に示したような装飾傘Ｕを組み立てることができるのである。図２の装飾傘Ｕの表面には図１の用紙Ｐと同じようなひまわりの絵柄が現れている。
【００１０】
以下に、図１の用紙Ｐから図２の装飾傘Ｕを組み立てる本発明の方法を順を追って説明する。
まず、図３に示したように、一枚の用紙Ｐ０（これを型紙Ｐ０と呼ぶ。）の所望の位置に中心Ｃを設定する。この中心は装飾傘に現れる絵柄の中心となるので、用紙の中心位置に設定することが好ましい。
次に、前記中心を通る放射状の直線Ｌ１〜Ｌ48を描く。これらの隣り合う直線によって形成される角度は3.75°（＝180°／48）となる。直線の本数は４８本に限定されるものではない。
【００１１】
次に、図４に示したように、別の用紙Ｐ１に前記型紙Ｐ０の１本の直線、例えばＬ１の位置情報を転写する。このとき、実際に直線Ｌ１の全体を描かずに、用紙Ｐ１の周縁部に前記直線Ｌ１の位置に応じたマークを付すとよい。
そして、図５に示したように、別の用紙Ｐ２にまた別の直線、例えばＬ２の位置情報を転写する。
このようにして、４８枚の用紙に相異なる直線Ｌ１〜Ｌ48の位置情報をそれぞれ１本づつ転写する。
なお、以上の転写作業を効率よく行うために、複数の用紙と前記型紙Ｐ０とを重ねておいて、中心と360°を96等分した点とに針を刺して針穴を設けることによって位置情報を転写してもよい。このようにすると、各用紙においては、針穴を結ぶ直線に沿って山折りすればよいので、転写作業が楽になる。
【００１２】
次に、図６に示したように、各用紙に転写した直線の位置情報に沿って、絵柄が表にくるように山折りする。図６は、用紙Ｐ１０を、直線Ｌ10の位置に沿って山折りした場合の説明図である。
そして、図１３に示したような形状の型取りプレート３を重ねて、型取りプレート３に設けた位置決め孔Ｈ１，Ｈ２，Ｈ３，Ｈ４に縫い針もしくはピン等を刺して、図７に示したように、位置決めマークＭ１，Ｍ２，Ｍ３，Ｍ４を形成するとともに、切り取り線Ｓを形成する。
なお、図７に示されているように、１枚の用紙の中心の両側に２つづつの型をとることができる。
このようにして得られる二つの型には、それぞれの番号を付しておくと、後で組み立てる時に順番が分かりやすくなる。例えば、図７の場合には直線Ｌ１０の位置に沿って山折りしたので、番号は「１０」と、４８を加えた「５８」となる。
【００１３】
次に、図８に示されているように、前記山折り切断片１２に形成された位置決めマークＭ１，Ｍ２，Ｍ３，Ｍ４と切り取り線Ｓを目印に、図８及び図９の（ａ）に示したように、切れ目Ｋを入れる。前述したように１枚の用紙から２つの山折り切断片１２、１２が得られる。
図９の（ａ）に示したように、一つの切れ目Ｋ１は、位置決めマークＭ２から、位置決めマークＭ３の近くの角までを結んだ直線状に設け、
別の切れ目Ｋ２は、位置決めマークＭ２から、位置決めマークＭ４を通過する直線状に設ける。
次に、図８及び図９の（ａ）に示したように、各山折り切断片１２に形成された折り線Ｒ１，Ｒ２に従って折り込む。（図９の（ａ）と（ｂ）参照。）
さらに、中央の折り線Ｒ４に従って折り込む。（図９の（ｂ）と（ｃ）参照。
）
さらに、折り線Ｒ３に従って折り込み、図３の（ｄ）に示したように、略三角形状の折り込み片１３を得る。
このような折り込み片１３を９６枚作成して、各折り込み片１３に形成された糸通し孔Ｍ１、Ｍ３にそれぞれ糸４１、４２を通して、前記糸４１、４２を引き締めて傘状になるように形を整える。（図９、図１０、図１１参照。）
そして、中心の孔の内面に接着剤等を塗布して筒５を差し込んで固定する。
【００１４】
このようにして形が傘状に整った後、図１２に示したように、傘状の周縁部に相当する各折り込み片１３の端に形成されている隙間に爪楊枝６を１本づつ差込む。そして、各爪楊枝６の後端で、傘状の周縁に位置する部分に糸７１を巻き付けながら繋いでいく。このとき、少量の接着剤で止めておくとよい。
さらに、前記糸７１の外側、即ち、各爪楊枝６の最後端の細い部分に別の糸７２を巻き付けながら繋いでいく。
【００１５】
以上のようにして、筒５に、例えば鉛筆等の軸材８を通すと、図１２に示したような装飾傘１（図２の装飾傘Ｕと同じ。）が完成するのである。
【００１６】
図３〜図１２においては、絵柄を省略したが、実際は図２に示したように、元の用紙の絵柄が表面に現れるのである。
完成品の装飾傘の表面に元の絵柄が現れる理由は以下の通りである。
【００１７】
各山折り切断片１２は、元の用紙から少しずつずれた位置で切り取られたものであるので、各山折り切断片１２の山折り辺の近傍の絵柄は、元の用紙の異なる直線の近傍の絵柄となっている。
即ち、隣り合う直線の位置情報を転写した用紙から作成した山折り切断片１２の山折り辺近傍の絵柄は互いに隣り合う絵柄となっており、両者を合わせると、連続した絵柄となり、その連続した絵柄は、用紙の元の絵柄の部分的な絵柄となっている。
従って、このようにして作成した山折り切断片１２を、転写した元の直線と同じ順番で整列させると、各山折り切断片１２の山折り辺に現れる絵柄が全体的に連続したものとなり、その連続した絵柄は、用紙の元の絵柄の中心の周囲の絵柄となっている。
このようにして、軸の周囲に整列することによって完成した装飾傘の表面には用紙の元の絵柄が現れることになるのである。
この発明の実施においては、多数の同じ絵柄のパンフレット等が必要となるので、事業所等において不要となった多数のパンフレットを有効利用することが可能である。
【００１８】
【発明の効果】
本発明にかかる装飾傘の組立方法によれば、同一パターンの図柄の複数の用紙を折り曲げて装飾傘を組み立てるときに、前記全ての用紙に同じ位置の中心を設定し、この中心を通る複数の直線を、全周を等分割した角度で放射状に設定し、各用紙毎に、前記等分割して設定した相異なる角度の放射状の直線の位置情報を１本づつ転写し、各用紙を、それぞれに転写された直線の位置情報に従って山折りして山折り片を作成し、この山折り片を加工して、前記中心をひとつの頂点とするとともに、前記山折り辺を底辺とした略三角形状の山折り断片を作成し、このようにして作成した複数の山折り断片を、その略三角形状の短辺が装飾傘の軸と平行になるように、装飾傘の軸の廻りに放射状に整列させて、前記山折り辺が装飾傘の表面を形成するように組み立てるので、装飾傘の表面に元の絵柄を出現させることができるのである。
従って、花の絵柄の用紙を用いれば、花の絵柄の装飾傘が得られ、動物の絵柄の用紙を用いれば、動物の絵柄の装飾傘が得られるように、所望の絵柄の装飾傘を得ることができるのである。
【図面の簡単な説明】
【図１】本発明にかかる装飾傘の組立方法に用いる用紙の平面図である。
【図２】前記装飾傘の組立方法によって組み立てた装飾傘の斜視図である。
【図３】前記装飾傘の組立方法を説明する工程図である。
【図４】前記装飾傘の組立方法を説明する工程図である。
【図５】前記装飾傘の組立方法を説明する工程図である。
【図６】前記装飾傘の組立方法を説明する工程図である。
【図７】前記装飾傘の組立方法を説明する工程図である。
【図８】前記装飾傘の組立方法を説明する工程図である。
【図９】前記装飾傘の組立方法を説明する工程図である。
【図１０】前記装飾傘の組立方法を説明する工程図である。
【図１１】前記装飾傘の組立方法を説明する工程図である。
【図１２】前記装飾傘の組立方法を説明する工程図である。
【図１３】前記装飾傘の組立方法に用いる型取りプレートの平面図である。
【図１４】別例の装飾傘の組立方法に用いる山折り断片の平面図である。
【符号の説明】
１    装飾傘
Ｕ    装飾傘
１２  山折り切断片
１３  折り込み片
３    型取りプレート
Ｐ    用紙
Ｐ０  型紙
Ｐ１  用紙
Ｐ２  用紙
Ｌ１〜Ｌ48  直線
Ｍ１，Ｍ２，Ｍ３，Ｍ４  位置決めマーク
Ｓ  切り取り線
Ｋ１，Ｋ２  切れ目
Ｒ１，Ｒ２，Ｒ３，Ｒ４  折り線
【図１】
0004520669.tif 000002
【図２】
0004520669.tif 000003
【図３】
0004520669.tif 000004
【図４】
0004520669.tif 000005
【図５】
0004520669.tif 000006
【図６】
0004520669.tif 000007
【図７】
0004520669.tif 000008
【図８】
0004520669.tif 000009
【図９】
0004520669.tif 000010
【図１０】
0004520669.tif 000011
【図１１】
0004520669.tif 000012
【図１２】
0004520669.tif 000013
【図１３】
0004520669.tif 000014
【図１４】
0004520669.tif 000015